(57)【要約】【課題】簡単な構成でフックの外れ防止を達成することができる取付構造を提供するを提供する。【解決手段】基板３０の縁部をストッパ２０の凸部２２と傾斜面２４ａとの間に挿入し、その状態でストッパ２０を基板３０の方へ差し込むと、凸部２２が基板３０に押圧され、第１板部２１は図中矢印で示す方向に開く。ストッパ２０を基板３０に対してさらに差し込むと、凸部２２が切欠３２に嵌合し、この状態でストッパ２０は基板３０から抜けなくなるとともに、第１板部２１がフック４３どうしの間に介在しているので、フック４３は基板３０から外れなくなる。【選択図】図７
2008039150.tif 000002
【特許請求の範囲】
【請求項１】
基板に所定の機能を有する機能部材を取り付けるための取付構造であって、前記基板は、孔を備え、前記機能部材は、前記孔に挿入される一対の脚部を備えるとともに該脚部の先端部に爪部を備え、前記爪部は、前記脚部が互いに接近する方向へ弾性変形することで前記孔を通過可能であるとともに前記孔を通過した後に前記脚部が互いに離間する方向に弾性復帰することにより前記孔の出口に係合する取付構造において、
前記基板に、前記爪部どうしの間に延在して該爪部の互いに接近する方向への移動を阻止するストッパを設け、このストッパは、前記基板の一端から差し込まれて前記基板を表裏から挟む第１板部および第２板部を備え、前記第１板部を前記爪部どうしの間に介在させ、前記第１板部に、前記基板に設けた凹部に係合する凸部を設けたことを特徴とする取付構造。
【請求項２】
前記第２板部の先端部に、前記基板の前記一端部に向けて拡開する傾斜面を設けたことを特徴とする請求項１に記載の取付構造。
【請求項３】
前記凸部は、前記ストッパを差し込む方向に向けて下り勾配となる傾斜面と、前記第１板部または前記第２板部とほぼ直交して前記凹部の縁に掛かる縦面とを有していることを特徴とする請求項１または２に記載の取付構造。
【請求項４】
第１板部と、この第１板部と間隔をおいて平行な第２板部と、前記第１板部および第２板部を基端部において連結する連結板部とを備え、前記第１板部の先端部に、前記第２板部側へ突出する凸部を設けたことを特徴とするストッパ。
【請求項５】
前記第２板部の先端部に、先端側へ向けて拡開する傾斜面を設け、この傾斜面と前記第２板部とのなす角度を１０〜３０°に設定したことを特徴とする請求項４に記載のストッパ。
【発明の詳細な説明】
【技術分野】
【０００１】
本発明は、センサ等の機能部材を基板に取り付けるための取付構造に係り、特に、機能部材が基板から外れるのを有効に防止する技術に関する。
【背景技術】
【０００２】
センサ等の機能部材を基板に取り付ける場合には、ワンタッチで取り付けられるようにして作業性を向上させることが多い。図９および図１０は、基板１０にセンサ１２を搭載したマウント１３を取り付ける取付構造を示すものであって、マウント１３に形成した脚１４を基板１０に形成した孔１１に挿入し、脚１４の先端に形成したフック１５を孔１１の出口に係合させたものである。このような取付構造では、脚１４を孔１１に挿入すると、フック１５の外面が孔１１によって押圧され、脚１４が内側へ弾性変形して孔１１を通過する。そして、フック１５が孔１１から突出すると、脚１４が外側へ弾性復帰してフック１５が孔１１の出口に係合する。
【０００３】
上記のような取付構造では、フック１５を内側へ変形させると脚１４が基板から外れてしまうので、信頼性に問題がある。そこで、図１１および図１２に示すように、基板１０の裏面に板１６を貼着し、板１６でフック１５が内側へ移動しないようにすることが行われている。しかしながら、板１６を貼着する方法では、基板１０の裏面に凹凸があったり油や水が付着していると張り付かないという問題がある。
【０００４】
そこで、特許文献１では、基板に変形自在なストッパを固定し、折り曲げたストッパをフックどうしの間に介在させる技術が提案されている。
【０００５】
【特許文献１】実開平６−７７０２３号公報
【発明の開示】
【発明が解決しようとする課題】
【０００６】
しかしながら、特許文献１に記載の技術では、基板にストッパを固定する工程が必要となるため、加工費用が割高になるという問題があった。したがって、本発明は、簡単な構成でフックの外れ防止を達成することができる取付構造を提供することを目的としている。
【課題を解決するための手段】
【０００７】
本発明は、基板に所定の機能を有する機能部材を取り付けるための取付構造であって、基板は、孔を備え、機能部材は、孔に挿入される一対の脚部を備えるとともに脚部の先端部に爪部を備え、爪部は、脚部が互いに接近する方向へ弾性変形することで孔を通過可能であるとともに孔を通過した後に脚部が互いに離間する方向に弾性復帰することにより孔の出口に係合する取付構造において、基板に、爪部どうしの間に延在して該爪部の互いに接近する方向への移動を阻止するストッパを設け、このストッパは、基板の一端から差し込まれて基板を表裏から挟む第１板部および第２板部を備え、第１板部を爪部どうしの間に介在させ、第１板部に、基板に設けた凹部に係合する凸部を設けたことを特徴としている。
【０００８】
上記構成の取付構造にあっては、基板の一端からストッパを差し込むことによって、第１板部が爪部どうしの間に介在して爪部の移動を阻止する。また、凸部が基板に設けた凹部に係合し、ストッパが基板から抜けない状態となる。そして、そのような作用は、ストッパに第１、第２板部を備えるという簡単な構成により得ることができるので、製造費用を低減することができる。
【０００９】
ここで、ストッパは、第１板部と、この第１板部と間隔をおいて平行な第２板部と、第１板部および第２板部を基端部において連結する連結板部とを備え、第１板部の先端部に、第２板部側へ突出する凸部を設けて構成することができる。また、ストッパは、合成樹脂などのように可撓性を有する材料で構成することが望ましい。また、第２板部の先端部に、基板の一端部に向けて拡開する傾斜面を設けることにより、ストッパを基板に差し込む作業がやり易くなる。その場合の傾斜面が第２板部の平面となす角度は、１０〜３０°が好適である。角度が１０°未満では、ストッパを基板に差し込む際に傾斜面の部分が変形し易くなる。また、角度が３０°を超えると、ストッパを基板に差し込む際の抵抗が大きく、作業性が低下する。
【００１０】
また、凸部は、ストッパを差し込む方向に向けて下り勾配となる傾斜面と、第１板部の平面とほぼ直交して凹部の縁に掛かる縦面とを有していると好適である。このような態様では、縦面が凹部の縁に掛かって抜けなくなるので、取付構造の信頼性が向上する。
【発明の効果】
【００１１】
本発明の取付構造では、簡単な構成でフックの外れ防止を達成することができるので、製造費用を低減することができるという効果が得られる。
【発明を実施するための最良の形態】
【００１２】
図１〜図８を参照して本発明の一実施形態を説明する。図１〜図３はストッパ２０を示す斜視図、側面図および平面図である。これらの図において符号２１は第１板部である。第１板部２１の先端部には、先端側へ向けて下り勾配となる傾斜面２２ａと傾斜面２２ａの後端から垂直に落ち込む縦面２２ｂにより縁取られた凸部２２が形成されている。
【００１３】
第１板部２１の後端縁から垂直に立ち上がる連結板部２３が形成され、連結板部２３の上端縁から第２板部２４が先端側へ第１板部２１と平行に伸びている。第２板部２４の先端部の下面は、先細りとなるように傾斜面２４ａが形成されている。傾斜面２４ａと第２板部２４とのなす角度θは、１０〜３０°に設定されている（この実施形態では２０°）。
【００１４】
図４において符号３０は基板である。基板３０には、孔３１と切欠（孔、凹部）３２が形成されている。また、符号４０はマウントであり、マウント４０には発光部４１ａと受光部４１ｂからなる光センサ４１が装着されている。また、マウント４０の４隅には、下方へ突出する脚（脚部）４２が形成され、脚４２の下端部には、フック（爪部）４３が形成されている。フック４３は、先端側から見て三角形状をなし、その１つの角が左右方向外側へ突出して孔３１および切欠３２の裏面側縁部と係合する。
【００１５】
次に、マウント４０を取り付けた基板３０にストッパ２０を装着する手順を図５〜図８を参照して説明する。図５に示すように、孔３１（図示略）と切欠３２から突出したフック４３は孔３１および切欠３２の裏面側縁部に係合し、マウント４０は基板３０から外れないようになっている。この状態で、フック４３を内側へ移動させると、フック４３は孔３１および切欠３２を通過することができ、マウント４０は基板から外れる。そして、フック４３が内側へ移動しないように規制するのがストッパ２０である。
【００１６】
図６に示すように、基板３０の縁部をストッパ２０の凸部２２と傾斜面２４ａとの間に挿入する。その状態でストッパ２０を基板３０の方へ差し込むと、凸部２２が基板３０に押圧され、第１板部２１は図中矢印で示す方向に開く（図７）。そして、ストッパ２０を基板３０に対してさらに差し込むと、凸部２２が切欠３２に嵌合する（図８）。この状態でストッパ２０は基板３０から抜けなくなるとともに、第１板部２１がフック４３どうしの間に介在しているので、フック４３は基板３０から外れなくなる。
【００１７】
上記構成の取付構造では、ストッパ２０が第１、第２板部２１，２４を備えるという簡単な構成により、フック４３の外れを防止することができるので、製造費用を低減することができる。特に、上記実施形態では、第２板部２４に傾斜面２４ａを形成しているので、ストッパ２０を基板３０に差し込む作業を簡単に行うことができる。
【００１８】
本発明は上記実施形態に限定されるものではなく、種々の変更が可能である。たとえば、上記実施形態では、第１板部２１に凸部２２を形成し、第２板部２４に傾斜面２４ａを形成しているが、第２板部２１に凸部２２を形成し、第１板部２４に傾斜面２４ａを形成しても良い。
【図面の簡単な説明】
【００１９】
【図１】本発明の一実施形態に係るストッパの斜視図である。
【図２】本発明の一実施形態に係るストッパの側面図である。
【図３】本発明の一実施形態に係るストッパの平面図である。
【図４】本発明の一実施形態に係る取付構造の分解斜視図である。
【図５】（Ａ）は本発明の一実施形態に係る取付構造においてストッパを差し込む前の状態を示す断面図であり、（Ｂ）は（Ａ）の矢印Ｂ方向矢視である。
【図６】（Ａ）は本発明の一実施形態に係る取付構造においてストッパを差し込んだ状態を示す断面図であり、（Ｂ）は（Ａ）の矢印Ｂ方向矢視である。
【図７】（Ａ）は本発明の一実施形態に係る取付構造においてストッパをさらに差し込んだ状態を示す断面図であり、（Ｂ）は（Ａ）の矢印Ｂ方向矢視である。
【図８】（Ａ）は本発明の一実施形態に係る取付構造においてストッパを完全に差し込んだ状態を示す断面図であり、（Ｂ）は（Ａ）の矢印Ｂ方向矢視である。
【図９】従来の取付構造を示す縦断面図である。
【図１０】従来の取付構造においてマウントを基板から外した状態を示す正面図である。
【図１１】従来の取付構造の他の例を示す斜視図である。
【図１２】従来の取付構造の他の例を示す正面図である。
【符号の説明】
【００２０】
２０  ストッパ
２１  第１板部
２２  凸部
２３  連結板部
２４  第２板部
２４ａ  傾斜面
３０  基板
３１  孔
３２  切欠（孔、凹部）
４１  光センサ（機能部材）
４２  マウント
【図１】
2008039150.tif 000003
【図２】
2008039150.tif 000004
【図３】
2008039150.tif 000005
【図４】
2008039150.tif 000006
【図５】
2008039150.tif 000007
【図６】
2008039150.tif 000008
【図７】
2008039150.tif 000009
【図８】
2008039150.tif 000010
【図９】
2008039150.tif 000011
【図１０】
2008039150.tif 000012
【図１１】
2008039150.tif 000013
【図１２】
2008039150.tif 000014